(57)【要約】【課題】凝縮器や循環風路から水滴が漏れ出した場合でも確実にドレンタンクへ回収できる除湿機を提供する。【解決手段】除湿ローター１２に再生空気を循環させて水分を放出させる循環風路２９と、除湿ローター１２に供給する再生空気を加熱する加熱器１４と、循環風路２９の一画を形成する再生空気通路および冷却空気が流れる冷却空気風路を有する凝縮器１３と、仕切壁１１の下方に設けたドレンタンク４と、仕切壁１１に形成した主受部９１と副受部９２からなるドレンパン９０を有し、主受部９１は凝縮器１３と除湿ローター１２の結露水を集め、副受部９２は各部品の隙間から漏れた結露水を集めて、ドレンタンク４に導くようにして、除湿効率を高め機外に水滴が漏出しないようにする。【選択図】図５
2007222838.tif 000002
【特許請求の範囲】
【請求項１】
供給空気から吸湿するとともに加熱空気に水分を放出して再生する除湿ローターと、前記除湿ローターに空気を供給して水分を吸湿させる吸湿風路と、前記除湿ローターに再生空気を循環させて水分を放出させる循環風路と、前記除湿ローターに供給する再生空気を加熱する加熱器と、前記循環風路の一画を形成する再生空気通路および冷却空気が流れる冷却空気風路を有する凝縮器と、前記吸湿風路、前記冷却空気風路および前記循環風路を区切り形成する仕切壁と、この仕切壁の下方に設けたドレンタンクと、前記仕切壁に形成した主受部と副受部からなるドレンパンを有し、前記主受部は凝縮器と除湿ローターの結露水を集め、前記副受部は各部品の隙間から漏れた結露水を集めて、前記ドレンタンクに導く除湿機。
【請求項２】
主受部の外周側に副受部を設けた請求項１記載の除湿機。
【請求項３】
除湿ローターを囲み、取付枠を形成する仕切壁の下方に、循環風路をドレンパンと一体に形成した請求項１記載の除湿機。
【請求項４】
除湿ローターを囲み、取付枠を形成する仕切壁の上方に循環風路を形成し、凝縮器の上端と連通してなる請求項１記載の除湿機。
【請求項５】
再生チャンバー内に発生した結露水を導く水抜き管を循環風路に接続した請求項１記載の除湿機。
【請求項６】
再生チャンバーから垂下する水抜き管を設け、この水抜き管を循環風路の途中に接続して連通させてなる請求項５記載の除湿機。
【請求項７】
再生チャンバー内に発生した結露水を一時的に貯える凹部を設け、この凹部の先端を除湿ローターに近接させ、あふれた結露水を前記除湿ローターに吸引可能とした請求項１記載の除湿機。
【請求項８】
凝縮器は薄板伝熱板の積層体で形成され、この凝縮器を収納する収納部の外周に保持リブを設け、下辺の保持リブと凝縮器との間に隙間を形成した請求項１記載の除湿機。
【請求項９】
保持リブと凝縮器の間にシール材を介在させた請求項８記載の除湿機。
【発明の詳細な説明】
【技術分野】
【０００１】
本発明は、吸湿剤を担持した除湿ローターで水分を吸湿し、吸湿した水分を凝縮水として回収する構成を有した、衣類などの乾燥を行う除湿機に関する。
【背景技術】
【０００２】
従来の除湿ローターで吸湿した水分を凝縮水として回収する除湿機としては、除湿ローターが吸湿した水分を加熱器で加熱して高温の再生空気に放出させ、この放出した水分を含む高湿の再生空気を凝縮器において冷却して凝縮水を回収し、水分を除去された再生空気を加熱器に戻して循環させる構成のものがある（例えば、特許文献１参照）。
【０００３】
この再生空気循環型の構成では、高湿の再生空気が装置外部に排出されず、また、再生空気から水分を回収する際に得られる凝縮熱も利用できるため、衣類等の乾燥を素早くできるという利点がある。この乾燥効率を高めるには、乾燥対象物に供給する空気の風量を増加させるとともに、できるだけ高温低湿の乾燥空気にして供給することが重要である。
【０００４】
このような乾燥用途に用いられる除湿機としては、ファンにより送風される空気を、まず凝縮器に供給し、高湿の再生空気を冷却することにより凝縮熱を与えて高温にし、その後に除湿ローターに供給して湿気を除去するとともに吸着熱を与えて高温低湿にして乾燥対象物に供給するものが一般的である。
【特許文献１】特開２０００−１２６４９８号公報（［００１２］、図２）
【発明の開示】
【発明が解決しようとする課題】
【０００５】
このような従来の除湿機では、凝縮器で生成される凝縮水や再生空気が循環する風路で結露した結露水が水滴となり、この水滴が循環風路内に溜まり、さらに接続部の隙間などから漏れ出す場合があり、余分な水滴を確実にドレンタンクへ回収しないと、除湿ローターの吸湿効率や凝縮器の冷却効率の低下を招くとともに除湿機外にも漏出するという課題があり、除湿機内の余分な水滴を速やかにドレンタンクへ導くことが要求されている。
【０００６】
また、除湿ローターや凝縮器が循環風路などの構成部品で覆われる配置になると、通風量が低減して除湿能力が低下するが、通風の支障とならない配置とすると機器形状が大型化するという課題があり、省スペースで通風抵抗を少なくできる部品構成が要求されている。
【０００７】
本発明は上記従来の課題を解決するものであり、循環風路内の水滴を少なくするとともに、水漏れが生じた場合でも支障なく水滴をドレンタンクへ導くことができるようにして、機外への水滴の漏出を防ぎ、除湿ローターの吸湿効率や凝縮器の冷却効率を維持し、また除湿ローターや凝縮器などへの通風抵抗を低減して除湿効率を向上するとともに、設置面積を減らした使い易い除湿機を提供することを目的としている。
【課題を解決するための手段】
【０００８】
本発明の除湿機は上記目的を達成するために、供給空気から吸湿するとともに加熱空気に水分を放出して再生する除湿ローターと、前記除湿ローターに空気を供給して水分を吸湿させる吸湿風路と、前記除湿ローターに再生空気を循環させて水分を放出させる循環風路と、前記除湿ローターに供給する再生空気を加熱する加熱器と、前記循環風路の一画を形成する再生空気通路および冷却空気が流れる冷却空気風路を有する凝縮器と、前記吸湿風路、前記冷却空気風路および前記循環風路を区画形成する仕切壁と、この仕切壁の下方に設けたドレンタンクと、前記仕切壁に形成した主受部と副受部からなるドレンパンを有し、前記主受部は凝縮器と除湿ローターの結露水を集め、前記副受部は各部品の隙間から漏れた結露水を集めて、前記ドレンタンクに導くようにしたものである。
【０００９】
この手段により、循環風路から漏出する水滴を少なくするとともに、水漏れが生じた場合でも支障なく水滴をドレンタンクへ導くことができる除湿機が得られる。
【００１０】
また他の手段は、上記第１の課題解決手段において、主受部の外周に副受部を設けたものである。
【００１１】
この手段により、水漏れが生じた場合でも、主受部の外周に設けた副受部が水滴をドレンタンクへ導くことができる除湿機が得られる。
【００１２】
また他の手段は、上記第１の課題解決手段において、除湿ローターを囲む仕切壁の下方に、循環風路をドレンパンと一体に形成したものである。
【００１３】
この手段により、除湿ローターの通風抵抗を低減して除湿効率を向上するとともに、設置面積を減らした使い易い除湿機が得られる。
【００１４】
また他の手段は、上記第１の課題解決手段において、除湿ローターを囲む仕切壁の上方に循環風路を形成し、熱交換器の上端と連通する構成としたものである。
【００１５】
この手段により、凝縮器や除湿ローターの通風抵抗を低減して除湿効率を向上するとともに、設置面積を減らした使い易い除湿機が得られる。
【００１６】
また他の手段は、上記第１の課題解決手段において、再生チャンバー内に発生した結露水を導く水抜き管を循環風路に接続したものである。
【００１７】
この手段により、水漏れが生じた場合でも支障なく水滴をドレンタンクへ導くことができる除湿機が得られる。
【００１８】
また他の手段は、上記第５の課題解決手段において、再生チャンバーから垂下する水抜き管を設け、この水抜き管を循環風路の開口部に挿入して連通させた構成としたものである。
【００１９】
この手段により、水漏れが生じた場合でも支障なく水滴をドレンタンクへ導くことができる除湿機が得られる。
【００２０】
また他の手段は、上記第１の課題解決手段において、再生チャンバー内に発生した結露水を一時的に貯える凹部を設け、この凹部の先端を除湿ローターに近接させ、あふれた結露水を前記除湿ローターに吸引可能としたものである。
【００２１】
この手段により、水漏れが生じた場合でも支障なく水滴を取り除くことができる除湿機が得られる。
【００２２】
また他の手段は、上記第１の課題解決手段において、凝縮器は薄板伝熱板の積層体で形成され、この熱交換器を収納する収納部の外周に保持リブを設け、下辺の保持リブと凝縮器との間に隙間を形成したものである。
【００２３】
この手段により、水漏れが生じた場合でも支障なくドレンタンクへ導くことができるようにして、凝縮器の冷却効率の低下を防ぐことができる除湿機が得られる。
【００２４】
また他の手段は、上記第８の課題解決手段において、保持リブと凝縮器の間にシール材を介在させたものである。
【００２５】
この手段により、凝縮器から漏出する水滴を少なくするとともに、水漏れが生じた場合でも支障なくドレンタンクへ導くことができるようにして、凝縮器の冷却効率の低下を防ぐことができる除湿機が得られる。
【発明の効果】
【００２６】
本発明によれば、機器の中央側に配置された凝縮機や循環風路などの隙間から水が漏れ出した場合は主受部に導き入れ、その周辺から漏れ出した場合は、副受部にて確実に受けることができ、機器外への水漏れ防止を確実に実施することができる。
【００２７】
また、吸気口から吸い込まれた空気は、第１ダクトおよび第２ダクトの通風抵抗を受けずに除湿ローターに円滑に供給されるので、機内抵抗が低く抑えられ風量が十分に確保され、高乾燥度かつ大風量の排出空気を衣類等の乾燥対象物に供給できる。
【００２８】
また、部品点数を削減することができ、かつ循環風路内の結露水をそのままドレンタンクに排水できるので、漏水の発生を抑制することができる。
【００２９】
また、循環風路内の通風抵抗を低減することにより、除湿性能の確保ができる。
【００３０】
また、水抜き管を垂下させて結露水を流下しているので、水の回収が容易となり、また水抜き管を第２ダクト内に挿入させることで、第２ダクトの変形などの力が再生チャンバーに伝わらないため、再生チャンバーの変形を防止して、除湿ローターの回転時の固着を防ぐことができる。
【００３１】
また、再生チャンバーの下部に設けた凹部に余分な水滴が溜まると、凹部と除湿ローターとは近接した位置にあるため、水滴は除湿ローターに吸い込まれるので、ドレンタンクへ通じる水路を設けることなく水滴を処理することができる。
【００３２】
また、薄板伝熱板の積層体の隙間から水漏れした場合や、収納部と凝縮器の連結部分から水漏れした場合でも、保持リブにより収納部で水が漏れないようにするとともに、下辺の保持リブと凝縮器との間に形成した隙間に一時的に貯えて、外部への水漏れを防止することができる。
【００３３】
また、保持リブと凝縮器の間にシール材を介在させることにより、高温高湿の循環空気を外部に漏らさずに凝縮器に流入させることができるため、除湿能力を維持することができる。
【発明を実施するための最良の形態】
【００３４】
本発明の請求項１記載の発明は、供給空気から吸湿するとともに加熱空気に水分を放出して再生する除湿ローターと、前記除湿ローターに空気を供給して水分を吸湿させる吸湿風路と、前記除湿ローターに再生空気を循環させて水分を放出させる循環風路と、前記除湿ローターに供給する再生空気を加熱する加熱器と、前記循環風路の一画を形成する再生空気通路および冷却空気が流れる冷却空気風路を有する凝縮器と、前記吸湿風路、前記冷却空気風路および前記循環風路を区切り形成する仕切壁と、この仕切壁の下方に設けたドレンタンクと、前記仕切壁に形成した主受部と副受部からなるドレンパンを有し、前記主受部は凝縮器と除湿ローターの結露水を集め、前記副受部は各部品の隙間から漏れた結露水を集めて、前記ドレンタンクに導く構成としたものであり、除湿ローターおよび凝縮器から漏れ出た結露水を仕切壁の下方の主受部に集め、主受部の下方に配置されたドレンタンクに導き、また循環風路の外へ水滴が漏れた場合でも、別に設けた副受部に集めて、副受部の下方に配置されたドレンタンクに導くという作用を有する。
【００３５】
また、主受部の外周側に副受部を設けたものであり、主受部の外周側に副受部を配置することにより、中央上方に配置された循環風路の隙間から水滴が漏れ出した場合でも、副受部で確実に回収できるという作用を有する。
【００３６】
また、除湿ローターを囲み、取付枠を形成する仕切壁の下方に、循環風路をドレンパンと一体に形成したものであり、除湿ローターの下方のスペースを循環風路とすることでスペースを有効活用して省スペース化を図り、かつ部品点数を削減することができ、さらに循環風路の下面をドレンパンとすることで、循環風路内の結露水をそのままドレンタンクに排水できるという作用を有する。
【００３７】
また、除湿ローターを囲み、取付枠を形成する仕切壁の上方に循環風路を形成し、凝縮器の上端と連通したものであり、除湿ローター上方のスペースを循環風路とすることでスペースの有効活用をして省スペース化を図り、かつ部品点数を削減することができ、さらに凝縮器の上端と連通することで、循環風が凝縮器内を上から下に滞留せず滑らかに通過できるので、循環風路内の通風抵抗を低減できるという作用を有する。
【００３８】
また、再生チャンバー内に発生した結露水を導く水抜き管を循環風路に接続したものであり、再生チャンバーで発生して滞留した結露水を、水抜き管から第２ダクトに連通するように形成することにより、循環ファンの吹き出し側である高圧側の再生チャンバーから循環ファンの吸い込み側である低圧側の第２ダクトと連通することになり、結露水が再生チャンバー内から第２ダクトまで容易に流れ、さらに再生チャンバー内の水をドレンパンに回収することにより、循環風路内の通風抵抗を速やかに低減することができ、除湿性能の確保ができるとともに、製品外への水漏れ防止を確実に実施することができるという作用を有する。
【００３９】
また、再生チャンバーから垂下する水抜き管を設け、この水抜き管を循環風路の途中に接続して連通させたものであり、再生チャンバーが上部にあり、第２ダクトが下部にあるので、その水の流れが、重力方向と同じであるため、水の回収が容易であり、水抜き管が第２ダクト内の開口に挿入させているため、第２ダクトの変形などの力が再生チャンバーに伝わらないため、再生チャンバーの変形がなく、除湿ローターを抑え付けることが無いため、除湿ローターの回転時の固着を防止できるという作用を有する。
【００４０】
また、再生チャンバー内に発生した結露水を一時的に貯える凹部を設け、この凹部の先端を除湿ローターに近接させ、あふれた結露水を前記除湿ローターに吸引可能としたｍのであり、製品が傾けられた場合など、再生チャンバー内の結露水が、除湿ローター側に流出した場合に、再生チャンバーの下部に凹部を設け、この凹部は除湿ローターと近接した位置にあるため、凹部に溜めた結露水が除湿ローターに吸収されることにより、簡単な構造で本体外への水漏れを防止できるという作用を有する。
【００４１】
また、凝縮器は薄板伝熱板の積層体で形成され、この凝縮器を収納する収納部の外周に保持リブを設け、下辺の保持リブと凝縮器との間に隙間を形成したものであり、積層体で形成された凝縮器の収納部外周に保持リブを設けているため、薄板伝熱板の積層体の隙間から水漏れした場合や、収納部と凝縮器の連結部分から水漏れした場合でも、保持リブにより収納部内に水が伝わり、収納部外に水が漏れないようにできるとともに、下辺の保持リブと凝縮器との間に隙間を形成したことにより、積層体の隙間から漏れた水や、外周の保持リブに伝わった水を、下辺の保持リブの隙間に一時的に貯えることができ、外部への水漏れを防ぐという作用を有する。
【００４２】
また、保持リブと凝縮器の間にシール材を介在させたものであり、保持リブと凝縮器の間にシール材を介在させて、高温高湿の循環風が凝縮器に流入するとき、シール材により循環風を外部に漏らさないようにすることで、凝縮器内で結露する水が確保されるため、除湿能力が確保されるという作用を有する。
【００４３】
以下、本発明の実施の形態について図面を参照しながら説明する。
【００４４】
（実施の形態１）
図１は本発明の実施の形態にかかる除湿機の斜視図、図２は除湿機の分解斜視図である。図１および図２において、除湿機の外郭を形成するハウジング１は、楕円形の水平断面形状を有しており、このハウジング１の長辺側に吸気口３が開口され、この吸気口３には着脱自在にフィルター２が配設されており、ハウジング１の底部には凝縮水を排水するためのドレンタンク４を着脱自在に収納している。
【００４５】
ハウジング１の上面には除湿機の運転を操作するための操作部５、除湿機を運搬するときに把持するハンドル６、および乾燥空気を排出するための排気口７が設けられており、排気口７の上部には風向変更手段８としてのルーバー９と駆動モーター１０を具備している。
【００４６】
ハウジング１内には、内部を区画する仕切壁１１が形設されており、この仕切壁１１に円盤状の除湿ローター１２と矩形状の凝縮器１３が水平方向に並んで収容されている。また、仕切壁１１の吸気口３側には、加熱器１４を内包して加熱用開口部１５を開口した扇形断面の加熱器ケース１６が除湿ローター１２に近接するように付設されており、加熱器ケース１６の下方には循環ファン１７を収納した循環ケーシング１８が配設されている。また、仕切壁１１の排気口７側には、除湿ローター１２を介して加熱器ケース１６の加熱用開口部１５と相対する扇形断面の再生チャンバー１９が付設されており、再生チャンバー１９の排気口７側にハウジング１内に送風するためのファン２０が配設されている。ファン２０は、ファンケーシング２３、羽根２４およびモーター２５で構成され、ファン２０の運転により併設されている除湿ローター１２と凝縮器１３とに分かれて通風され、排気口７から乾燥風が排出される。
【００４７】
図３〜図６に示すようにハウジング１内には併設された除湿ローター１２と凝縮器１３の下方にドレンタンク４が配設されている。凝縮器１３は、後述するようにファン２０によって供給される空気を水平方向に通す外部通路と、循環ファン１７によって循環する再生空気を鉛直方向に通す内部通路を有しており、内部通路の入口部２５を上面側、出口部２６を下面側に配設している。
【００４８】
凝縮器１３の内部通路は、上部の入口部２５が除湿ローター１２の上方に形成される第１ダクト２７を介して再生チャンバー１９と連通し、また下部の出口部２６が除湿ローター１２の下方に形成される第２ダクト２８を介して循環ケーシング１８に形成される循環ファン１７の吸込口と連通している。したがって循環ケーシング１８から吐出した再生空気が、図５の矢符に示すように、循環ケーシング１８と接続された加熱器ケース１６に流入し、加熱器ケース１６に開口した扇形の加熱用開口部１５から除湿ローター１２を介して再生チャンバー１９に受風され、再生チャンバー１９から第１ダクト２７を通って凝縮器１３の内部通路に入り、内部通路から第２ダクト２８を通って循環ファン１７に廻流する循環風路２９が形設されることになる。
【００４９】
また、第１ダクト２７は除湿ローター１２を包囲する仕切壁１１の上部に一体に配設され、また第２ダクト２８は仕切壁１１の下部に一体に配設されている。第２ダクト２８の上部には、ドレンパン９０の一部をなす主受部９１が一体に形成され、主受部９１の外周側の仕切壁１１に副受部９２を設けて、主受部９１で捕集しきれない水滴を集めるようにしている。
【００５０】
このような構成とすることにより、ファン２０からの供給空気を通す除湿ローター１２と凝縮器１３は、接続ダクトなどの構成部品で遮蔽されずに空気供給方向に対して広く開放されているため、ファン２０の除湿ローター１２供給経路における通路抵抗が少なくなり、除湿ローター１２への供給風量が増加することになる。さらに、第１ダクト２７と第２ダクト２８は除湿ローター１２と凝縮器１３の上下に配置されているので、ハウジング１の設置面積を少なくすることができ、省スペースで便利に使用することができる。
【００５１】
また、第１ダクト２７は凝縮器１３方向に向けて下り勾配が形成されており、この下り勾配に沿って結露した水滴が凝縮器１３の内部通路側に移動するため、第１ダクト２７内への水滴の滞留は低減できる。また、ドレンパン９０の主受部９１の最下点近傍には排水口３０が設けられており、この排水口３０にはストッパー３１が付設され、ドレンタンク４の着脱に連動して開閉するものである。
【００５２】
第２ダクト２８の上面側には、再生チャンバー１９の最下点と連通する水抜き管３２および循環ケーシング１８の最下点と連通するドレン孔３３が接続されている。水抜き管３２は再生チャンバー１９の最下点とはネジで固定してあるが、第２ダクト２８への接続は、第２ダクト２８に設けた開口穴に対し、水抜き管３２が挿入することで、第２ダクト２８とは固定していない。したがって再生チャンバー１９内に結露した水滴は水抜き管３２を通って第２ダクト２８に滴下し、また循環ケーシング１８内に結露した水滴はドレン孔３３を通じて第２ダクト２８内に滴下することになる。また、第２ダクト２８に水抜き管３２を固定せず接続しているため、第２ダクト２８が変形して寸法のばらつきが生じた場合でも、再生チャンバー１９には変形の応力が伝わらないので、再生チャンバー１９に設けた除湿ローター１２の回転軸が傾いて加熱器ケース１６に接触することはなく、除湿ローター１２は正常回転を続けることができる。
【００５３】
また、製品が傾けられた場合などに再生チャンバー１９内の結露水が除湿ローター１２側に流出することがあるが、再生チャンバー１９の最下点に、かつ除湿ローター１２と近接した位置に、凹部９４を設けているので、流出した結露水が除湿ローター１２に接触して吸収されることにより、水滴の処理が簡単に行え、ハウジング１外への水漏れを防止することができる。
【００５４】
このように、第１ダクト２７内に結露した水滴は、上述したように凝縮器１３の内部通路に移動して凝縮器１３の内部通路に結露する凝縮水とともに下方の第２ダクト２８に滴下する。したがって循環風路２９内に発生する水滴や凝縮水がすべて第２ダクト２８に集水されて、さらにドレンタンク４に収納されることになり、循環風路２９内の水滴は速やかに排出することができる。また、積層板の隙間や、第１ダクト２７と加熱器１４と凝縮器１３の隙間、第２ダクト２８と凝縮器１３と循環ケーシング１８の隙間、再生チャンバー１９と除湿ローター１２の隙間から水漏れが発生した場合でも、ドレンパン９０の副受部９２で水を捕集し、ドレンタンク４へ導くことにより、ハウジング１外部への水漏れを防止することができるものである。
【００５５】
図７は、除湿機の内部主要部品の分解斜視図である。図に示すように仕切壁１１には円形開口部３４および矩形開口部３５が開口しており、円形開口部３４には、除湿ローター１２の回転軸３６を備えて扇帯状の周壁面３７により扇形断面を形成した再生チャンバー１９が配設され、第１ダクト２７との接続口３８を上面に開口している。また、再生チャンバー１９内部には、除湿ローター１２と対向する遮熱板３９が配設され、さらに再生チャンバー１９の周壁面３７を覆うように延設されている。再生チャンバー１９に一体形成された回転軸３６を挿嵌するように除湿ローター１２が円形開口部３４に収容され、矩形開口部３５には凝縮器１３が収容される。ファン２０によって供給される空気が除湿ローター１２と凝縮器１３とに適正に分流されることになる。
【００５６】
この円形開口部３４に除湿ローター１２が収容された状態で、再生チャンバー１９の逆側から断面扇形の加熱器ケース１６が取り付けられる。また、加熱用開口部１５は、再生チャンバー１９の扇形断面部と相対するように配設され、加熱器ケース１６内に収容された加熱器１４の輻射熱を除湿ローター１２に直接照射するように構成されている。
【００５７】
また、加熱器ケース１６の下方には循環ファン１７を収容した金属部４０と樹脂部４１からなる循環ケーシング１８が配設され、樹脂部４１に付設されるモーター４２に連結されている。モーター４２を駆動すると循環ファン１７が回転し、金属部４０に開口した吸込口４３から空気を吸い込んで、加熱器ケース１６に接続される吐出口４４から送風され、吐出口４４近傍には、遮熱部材４５が付設されており、加熱器１４からの放熱や加熱器ケース１６からの伝熱に起因する樹脂部４１の熱変形が抑制されている。
【００５８】
図８は、除湿ローター１２の詳細構成を示す分解斜視図である。除湿ローター１２は、セラミック繊維、ガラス繊維等の無機繊維、もしくはそれら無機繊維とパルプとを混合して抄造した平面紙とコルゲート加工を施した波型紙を巻装したドーナツ状の円盤体に、吸湿剤４６として、例えば、シリカゲル、ゼオライトなどの無機質の吸着型吸湿剤、有機高分子電解質すなわちイオン交換樹脂などの吸湿剤、塩化リチウムなどの吸収型吸湿剤を１種類もしくは２種類以上を複合して担持した吸湿素子４７を備えている。この吸湿素子４７は、外周にギア４８を周設したリング状のフレームＡ４９と、外輪５０から吸湿素子４７の中心穴５１と係合する内輪５２に向けて放射状に複数本のリブ５３が架橋されたフレームＢ５４とで両軸側から挟み込んで収納される。吸湿素子４７の中心穴５１に軸受部５５が嵌入され、フレームＢ５４と螺子止めされることにより吸湿素子４７が保護される構成となる。
【００５９】
除湿ローター１２を回転させる駆動手段５６は、フレームＡ４９のギア４８と噛合する歯車５７と駆動モーター５８により構成され、除湿ローター１２の回転速度は、通常、毎時１０〜４０回転の範囲に設定される。フレームＡ４９には外周に沿ってギア４８の凹状部を覆うように第１遮蔽壁５９が一体形成されており、また、歯車５７にも外周に沿って歯合する凹状部を覆うように第２遮蔽壁６０が一体形成されている。第１遮蔽壁５９と第２遮蔽壁６０は、ファン２０により除湿ローター１２に供給される空気が除湿ローター１２をバイパスするのを抑制するものである。
【００６０】
図９は、凝縮器１３の詳細構成を示す概略分解斜視図である。凝縮器１３は薄肉のシートに凹凸部を所定のパターンで形成した伝熱板６１ａと、同様の薄厚のシートに伝熱板６１ａと異なる凹凸部のパターンを形成した伝熱板６１ｂを交互に複数枚積層した積層型熱交換器で構成される。複数枚積層された伝熱板６１ａおよび伝熱板６１ｂの各々の間隙に循環ファン１７により循環する再生空気とファン２０により供給される空気を交互に流すことにより、再生空気が流れる内部通路６２とファン２０により供給される空気が流れる外部通路６３が一段おきに形成され、熱交換できるように構成されている。
【００６１】
伝熱板６１ａには、中空凸状の間隔リブ６４ａを突設しており、伝熱板６１ｂにも中空凸状の間隔リブ６４ｂを突設している。伝熱板６１ａの間隔リブ６４ａは伝熱板６１ｂに当接することにより、内部通路６２の通路間隔が保持され、伝熱板６１ｂの間隔リブ６４ｂは、伝熱板６１ａに当接することにより、外部通路６３の通路間隔を所定寸法にして保持される。
【００６２】
また内部通路６２は、再生空気が下向きに流れるように鉛直方向に配設されるので、内部通路６２に結露した水滴が、その自重と下向きに流れる再生空気の風圧により速やかに滴下して内部通路６２内の水滴滞留による通路閉塞が抑制される。また、外部通路６３は内部通路６２と直交するように水平方向に配設されるので、ファン２０により供給される空気が除湿ローター１２と外部通路６３をともに水平方向に略平行状態で流れるため、ファン２０の通風抵抗が減少し、ファン２０の風量が増加することになる。また、内部通路６２の出口まで滴下した水滴は、直角台形状に形成された伝熱板６１ａおよび伝熱板６１ｂの傾斜面に沿って最下点まで順次移動し、最下点において大粒となって自重により速やかに滴下分離する。
【００６３】
図１０および図１１は、凝縮器１３の固定保持状態を示す分解斜視図である。凝縮器１３を収納して固定保持するケース体６９には、積層完了寸法Ａよりも小さい幅寸法Ｂの収納部７０が形成されている。また保持リブ９３に係合するように凝縮器１３にシール材９５を貼付け、この収納部７０に伝熱板積層状態の凝縮器１３を白抜矢印に示すように挿入すると、ケース体６９の凝縮器１３の収納方向奥面に付設した保持リブ９３に凝縮器１３が当接して収納が完了する。この収納完了状態において収納部７０の幅寸法Ｂは、積層完了寸法Ａよりも小さいので、積層状態の伝熱板６１ａおよび伝熱板６１ｂの各々に押圧力が積層方向より加わることになる。この押圧力によって伝熱板６１ａに形成された間隔リブ６４ａの突設面と、この突設面と接する伝熱板６１ｂとの当接力が増加して内部通路６２の気密性が高められ、また、伝熱板６１ｂに形成された間隔リブ６４ｂの突設面と、この突設面と接する伝熱板６１ａとの当接力が増加して外部通路６３の気密性が高められることになる。
【００６４】
また保持リブ９３に係合するように凝縮器１３の上下にシール材９５を貼付けてあるため、内部通路と外部通路との気密性を高めることができ、さらに上部に貼り付けたシール材９５により高温高湿の循環風が凝縮器１３に流入するとき、循環風を外部に漏らさないようにすることで、凝縮器１３内の風量を保ち熱交換効率が適正に維持されるため、除湿能力を確保することができる。
【００６５】
このように、伝熱板積層完了寸法Ａよりも小さい幅寸法Ｂの収納部７０に凝縮器１３を伝熱板積層状態で収納し、シール材９５による収納部７０と凝縮器１３が圧入されることにより、内部通路６２および外部通路６３の気密性の向上が図られ、除湿能力を確保することができる。
【００６６】
また、収納部７０の外周に保持リブ９３を設けているので、伝熱板積層の隙間から水が漏れた場合でも、外周の保持リブ９３を伝って下方に流れ、収納部７０の下辺の保持リブ９３ａは一部が凝縮器１３より突出されて枠囲いされているため隙間９６が形成され、漏れ出た水滴は下辺の保持リブ９３ａで受けられ、隙間９６を移動して開口部（図示せず）からドレンタンク４内へ回収されるものである。
【００６７】
図１２は、除湿機の運転動作を示す簡易水平断面図である。図示しない操作部において除湿機の運転を指示すると、ファン２０、循環ファン１７、駆動モーター５８、加熱器１４が各々駆動する。まずファン２０の駆動によって吸気口３からハウジング１内に空気が吸引される。この時、空気中の塵埃は吸気口３に付設されたフィルター２により除去される。ハウジング１内に吸引された空気は、ハウジング１の長辺方向においてファン２０の風上側に水平方向に並設されている除湿ローター１２と凝縮器１３に供給される。この空気は、除湿ローター１２と凝縮器１３に分流し、かつハウジング１の概略短辺方向を並行に流れるため、通風抵抗が並列に分散して通風距離も短くなり、ファン２０に対する機内抵抗が低下してファン２０の送風量が増加することになる。除湿ローター１２側に分流した空気は、凝縮熱を受けずに除湿ローター１２に供給される。したがって除湿ローター１２において吸湿効率の低下はなく、供給空気は湿気を除去されるとともに吸着熱を与えられて高温低湿になる。一方、凝縮器１３側に分流した空気は、吸着熱を受けず凝縮器１３の外部通路６３に供給される。したがって凝縮器１３において冷却効率の低下はなく、供給空気は内部通路６２を流れる再生空気を冷却して凝縮熱を奪い高温になる。除湿ローター１２で吸湿された高温低湿の空気と凝縮器１３で凝縮熱を奪った高温の空気は、ともにファン２０に吸込まれて攪拌され排気口７から排出される。この排出空気は、除湿ローター１２において吸湿効率の低下がなく十分に吸湿された空気と、凝縮器１３において冷却効率の低下がなく十分に凝縮熱を奪った空気との混合空気であり高い乾燥度を有している。また、この空気は上述したようにファン２０に対する機内抵抗の低下により十分に風量も確保されているので、この高乾燥度かつ大風量の排出空気を排気口７から衣類等の乾燥対象物に供給すると、極めて高い乾燥効率が得られることになる。
【産業上の利用可能性】
【００６８】
以上のように本発明にかかる除湿機は、余分な結露水を確実にドレンタンクに導いて処理することができるので、循環風路の抵抗を低減して乾燥効率を高めるとともに、機外への漏水を防ぐことものであり、また設置場所の制約を減らして使い勝手の向上を図ったものであり、除湿機、乾燥機、衣類乾燥機、衣類乾燥洗濯機、浴室乾燥機、空調機または溶剤回収装置等の高品質で高機能な除湿運転が所望される用途に適している。
【図面の簡単な説明】
【００６９】
【図１】本発明の実施の形態に係る除湿機の斜視図
【図２】同、除湿機の分解斜視図
【図３】同、除湿機の正面透視図
【図４】同、除湿機の背面透視図
【図５】同、除湿機の背面分解図
【図６】同、除湿機の水抜き管を説明する要部斜視図
【図７】同、除湿機の主要部品の分解斜視図
【図８】同、除湿機に搭載する除湿ローターの分解斜視図
【図９】同、除湿機に搭載する凝縮器の要部分解斜視図
【図１０】同、除湿機に搭載する凝縮器の構成を示す分解斜視図
【図１１】同、除湿機に搭載する凝縮器の拡大斜視図
【図１２】同、除湿機の運転動作を示す簡易水平断面図
【符号の説明】
【００７０】
４              ドレンタンク
１１            仕切壁
１２            除湿ローター
１３            凝縮器
１４            加熱器
１９            再生チャンバー
２７            第１ダクト（循環風路）
２８            第２ダクト（循環風路）
２９            循環風路
３２            水抜き管
６１ａ、６１ｂ  伝熱板
７０            収納部
９０            ドレンパン
９１            主受部
９２            副受部
９３            保持リブ
９３ａ          保持リブ
９４            凹部
９５            シール材
９６            隙間
【図１】
2007222838.tif 000003
【図２】
2007222838.tif 000004
【図３】
2007222838.tif 000005
【図４】
2007222838.tif 000006
【図５】
2007222838.tif 000007
【図６】
2007222838.tif 000008
【図７】
2007222838.tif 000009
【図８】
2007222838.tif 000010
【図９】
2007222838.tif 000011
【図１０】
2007222838.tif 000012
【図１１】
2007222838.tif 000013
【図１２】
2007222838.tif 000014